(57)【特許請求の範囲】
【請求項１】
多重化ストリームで送信されたデジタル放送を受信する第１受信部と、前記多重化ストリームのデータをＢＭＬブラウザを介してテレビに表示する出力部と、入力機器からのデータを受け取る操作入力部と、該操作入力部からの入力信号を符号・復号化して、通信網を介して情報提供供給装置に送信するデータ送信部と、前記通信網を介して情報文書を受信する第２受信部とを備えた送受信機と、
前記送受信機において選択又は設定されたカテゴリ及びキーワードが格納される個人情報データベースと、指定語句に関連した詳細情報を記録する番組情報データベースと、多重化ストリームで送信されたデジタル放送を受信するデジタル放送受信部と、前記送受信機から前記通信網を介して送信されたデータを受信するデータ受信部と、画面に表示するデータ情報を前記通信網を介して前記送受信機に送信するデータ送信部とを備えた情報提供供給装置とからなる情報提供サービスシステムの動作方法であって、
前記送受信機が、
入力機器から、視聴中の番組に関する詳細情報を表示する指令データを受信した場合、この指令データを前記情報提供供給装置に送信し、
前記情報提供供給装置が、
受信したデジタル放送のデジタル情報に含まれている文について構文解析を行って名詞を抽出するとともに、前記送受信機から前記指令データを受信した場合、前記個人情報データベースからカテゴリ及びキーワードを抽出し、
前記抽出した名詞と、前記個人情報データベースから抽出したカテゴリに含まれる指定語句又は前記個人情報データベースから抽出したキーワードとを対比させて、一致する語句を指定語句として選択し、
この指定語句を含むＢＭＬ形式の情報文書を生成し、この生成した情報文書を前記通信網を介して前記送受信機に送信し、
前記送受信機が、
前記情報提供供給装置から前記指定語句を含む情報文書を受信した場合、この情報文書と、受信したデジタル放送データのデータ放送用文書との入れ替えを行って新たな多重化ストリームとし、この多重化ストリームをテレビに供給して、前記指定語句をテレビに表示し、
テレビに表示された指定語句のうち、入力機器から、語句が指定された場合、この指定された語句を前記情報提供供給装置に送信し、
前記情報提供供給装置が、
前記送受信機から、前記指定された語句を受信した場合、この語句に関連する詳細情報を前記番組情報データベースから抽出して取得し、
この詳細情報を含むＢＭＬ形式の情報文書を生成し、この生成した情報文書を通信網を介して前記送受信機に送信し、
前記送受信機が、
前記情報提供供給装置から前記詳細情報を含む情報文書を受信した場合、この情報文書と、受信したデジタル放送データのデータ放送用文書との入れ替えを行って新たな多重化ストリームとし、この多重化ストリームをテレビに供給して、前記詳細情報をテレビに表示することを特徴とする情報提供サービスシステムの動作方法。
【請求項２】
前記詳細情報が、前記デジタル情報又はデジタル放送のテレビ番組とともに画面上に表示される形式で配信される請求項１に記載の情報提供サービスシステムの動作方法。
【請求項３】
視聴者がカテゴリ又はキーワードを選択する前に、これらのカテゴリ又はキーワードと一緒に、視聴中のテレビ番組のホームページなどの情報を詳細情報として配信する請求項１又は２に記載の情報提供サービスシステムの動作方法。
【請求項４】
前記カテゴリ又はキーワードを視聴者が選択している間に、その詳細情報を記憶部に格納し、選択されたカテゴリ又はキーワードに応じて、その記憶部から詳細情報を配信するようにしたことを特徴とする請求項１〜３の何れかに記載の情報提供サービスシステムの動作方法。
【請求項５】
前記詳細情報が商業宣伝情報である請求項１〜４の何れかに記載の情報提供サービスシステムの動作方法。
【請求項６】
画面に表示されるカテゴリ及びキーワードは、デジタル放送の視聴者が予め指定した語句に適合したものである請求項１〜５の何れかに記載の情報提供サービスシステムの動作方法。
【請求項７】
前記詳細情報が、所定の表示幅で、上下にスクロール可能に表示されるようにした請求項１〜６の何れかに記載の情報提供サービスシステムの動作方法。
【請求項８】
前記カテゴリ、キーワード又は詳細情報は、自動的にスクロールされながら前記テレビ画面に表示される請求項１〜７の何れかに記載の情報提供サービスシステムの動作方法。
【請求項９】
前記カテゴリやキーワードが、テレビ番組の放送中にテレビ画面に表示されるようにした請求項１〜８の何れかに記載の情報提供サービスシステムの動作方法。
【請求項１０】
多重化ストリームで送信されたデジタル放送を受信するデジタル放送受信部と、前記多重化ストリームのデータをＢＭＬブラウザを介してテレビに表示する出力部を備えた送受信機から通信網を介して送信されたデータを受信するデータ受信部と、前記送受信機において選択又は設定されたカテゴリ及びキーワードが格納される個人情報データベースと、詳細情報を記録する番組情報データベースとを備えた情報提供供給装置であって、
受信したデジタル放送のデジタル情報に含まれている文について構文解析を行って名詞を抽出する構文解析部と、
前記送受信機から送信された、視聴中の番組に関する詳細情報を表示する指令データを受信した場合、前記個人情報データベースからカテゴリ及びキーワードを抽出し、前記送受信機から送信された、指定された語句を受信した場合、この語句を検索部に供給する指令部と、
前記構文解析部で抽出した名詞と、前記個人情報データベースから抽出したカテゴリに含まれる指定語句又は前記個人情報データベースから抽出したキーワードとを対比させて、一致する語句を指定語句として選択する指示語句抽出部と、
前記指定語句のうち、前記送受信機から送信された、指定された語句を受信して、該受信された語句に関連する詳細情報を前記番組情報データベースから抽出する検索部と、
前記指定語句を含むＢＭＬ形式の情報文書を生成し、又は前記検索部が抽出した詳細情報を含むＢＭＬ形式の情報文書を生成する送信データ生成部と、
この生成した情報文書を前記通信網を介して前記送受信機に送信するデータ送信部とを少なくとも備えたことを特徴とする情報提供供給装置。
【請求項１１】
送受信機において選択又は設定されたカテゴリ及びキーワードを受信して格納した個人情報データベースと、指定語句に関連する詳細情報を記録した番組情報データベースとを備えた情報提供供給装置と通信網を介して接続され、
入力機器から、視聴中の番組に関する詳細情報を表示する指令データを受信した場合に、この指令データを、又はテレビに表示された指定語句のうち、入力機器から、語句が指定された場合、この指定された語句を、前記情報提供供給装置に送信するデータ送信部と、
多重化ストリームで送信されたデジタル放送を受信する第１受信部と、
前記指定語句を含む情報文書、又は前記テレビに表示された指定語句のうち、入力機器から指定された語句に関連する詳細情報を含む情報文書を、前記情報提供供給装置から受信する第２受信部と、
前記第１受信部で受信されたデジタル放送データの一部を、前記第２受信部で受信されたＢＭＬ形式の情報文書と交換して多重化ストリームに合成する交換部と、
デジタル放送データの多重化ストリームと、交換部で合成した多重化ストリームとを切り替える受信画面切替部と、
この受信画面切替部から送信されたデータをテレビに供給して、前記情報文書に含まれる指定語句を、又は前記情報文書に含まれる詳細情報を、テレビに表示する出力部とを少なくとも備えた送受信機。
【発明の詳細な説明】
【０００１】
【発明の属する技術分野】
本発明は、デジタル放送を用いた情報提供サービスシステムの動作方法、このために用いられる情報提供供給装置及び送受信機に関するものである。
【０００２】
【従来の技術】
現在、通信衛星を利用したＣＳ（Ｃｏｍｍｕｎｉｃａｔｉｏｎｓ  Ｓａｔｅｌｌｉｔｅ）デジタル放送が開始され、今後、放送衛星を利用したＢＳデジタル放送が開始される予定である。デジタル放送は、従来のアナログ放送に比べて多量のデータ量を送信することができる。そのため、ＣＳ放送では多チャンネル化が行われている。これに対してＢＳ（Ｂｒｏａｄｃａｓｔｉｎｇ  Ｓａｔｅｌｌｉｔｅ）放送では高画質、高音質のデジタルハイビジョン及びデータ放送サービスが行われる予定である。このデータ放送サービスとして、現在ＥＰＧ（電子番組ガイド）や番組関連情報などが考えられている。
【０００３】
【発明が解決しようとする課題】
ところが、テレビ番組の視聴者は、そのテレビ番組を見ている最中に、そこで使用された語句から他の欲求を生ずることがある。例えば、四国地方の旅行番組で「手打ちうどん」を見ていて、視聴している場所の近所のうどん屋の情報を知りたくなったというような場合が挙げられる。このように視聴者の欲求は、テレビ番組で使用された語句（前述の例では「うどん」）に基づくものであっても、その番組（前述の例では「四国地方の旅行番組」）自体とは直接関係がない場合がある。
【０００４】
しかしながら、ＥＰＧや番組関連情報など、放送局が作成して画面上で提供する情報は、その放送している番組の内容に直接関連するもの（例えば、上述の例では、その地方の名産品とか、その製品を取り扱っている商店の詳細情報など）がほとんどである。そのため、それぞれの視聴者の欲求に十分に対応することができず、視聴者の欲求を十分に満足させることができない。
【０００５】
そこで、本発明は、より多くの視聴者の欲求に応じた情報を提供することのできる情報提供サービスシステムの動作方法、このために用いられる情報提供供給装置及び送受信機を提供することにある。
【０００６】
【課題を解決するための手段】
上記課題を解決するために、請求項１に記載の発明は、多重化ストリームで送信されたデジタル放送を受信する第１受信部と、前記多重化ストリームのデータをＢＭＬブラウザを介してテレビに表示する出力部と、入力機器からのデータを受け取る操作入力部と、該操作入力部からの入力信号を符号・復号化して、通信網を介して情報提供供給装置に送信するデータ送信部と、前記通信網を介して情報文書を受信する第２受信部とを備えた送受信機と、前記送受信機において選択又は設定されたカテゴリ及びキーワードが格納される個人情報データベースと、指定語句に関連した詳細情報を記録する番組情報データベースと、多重化ストリームで送信されたデジタル放送を受信するデジタル放送受信部と、前記送受信機から前記通信網を介して送信されたデータを受信するデータ受信部と、画面に表示するデータ情報を前記通信網を介して前記送受信機に送信するデータ送信部とを備えた情報提供供給装置とからなる情報提供サービスシステムの動作方法であって、前記送受信機が、入力機器から、視聴中の番組に関する詳細情報を表示する指令データを受信した場合、この指令データを前記情報提供供給装置に送信し、前記情報提供供給装置が、受信したデジタル放送のデジタル情報に含まれている文について構文解析を行って名詞を抽出するとともに、前記送受信機から前記指令データを受信した場合、前記個人情報データベースからカテゴリ及びキーワードを抽出し、前記抽出した名詞と、前記個人情報データベースから抽出したカテゴリに含まれる指定語句又は前記個人情報データベースから抽出したキーワードとを対比させて、一致する語句を指定語句として選択し、この指定語句を含むＢＭＬ形式の情報文書を生成し、この生成した情報文書を前記通信網を介して前記送受信機に送信し、前記送受信機が、前記情報提供供給装置から前記指定語句を含む情報文書を受信した場合、この情報文書と、受信したデジタル放送データのデータ放送用文書との入れ替えを行って新たな多重化ストリームとし、この多重化ストリームをテレビに供給して、前記指定語句をテレビに表示し、テレビに表示された指定語句のうち、入力機器から、語句が指定された場合、この指定された語句を前記情報提供供給装置に送信し、前記情報提供供給装置が、前記送受信機から、前記指定された語句を受信した場合、この語句に関連する詳細情報を前記番組情報データベースから抽出して取得し、この詳細情報を含むＢＭＬ形式の情報文書を生成し、この生成した情報文書を通信網を介して前記送受信機に送信し、前記送受信機が、前記情報提供供給装置から前記詳細情報を含む情報文書を受信した場合、この情報文書と、受信したデジタル放送データのデータ放送用文書との入れ替えを行って新たな多重化ストリームとし、この多重化ストリームをテレビに供給して、前記詳細情報をテレビに表示するものである。
【０００７】
従って、カテゴリ又はキーワードは、デジタル放送で送信されたテレビ番組で使用された語句に基づいて抽出される。視聴中に発生した視聴者の欲求は、テレビ番組からの語句に基づくものが多いため、放送局から送信されてくる情報を単に提供するよりも、より多くの視聴者の欲求を満足できるような情報を提供することができる。この場合、カテゴリ及びキーワードは、デジタル情報に含まれる文章を構文解析して、名詞を抜き出して得たものとしたものである。従って、デジタル情報に含まれる文章から抜き出した名詞としたので、テレビ番組に関係があり、抽象的でなくより具体的な語句をカテゴリやキーワードとすることができる。そのため、視聴者が自分が欲しい情報に近いカテゴリやキーワードを容易に選択できるとともに、詳細情報の検索がよりし易くなる。従って、視聴者の欲求に合う情報を容易に提供することができる。
【０００８】
請求項２に記載の発明は、請求項１に記載の情報提供サービスシステムの動作方法において、前記詳細情報が、前記デジタル情報又はデジタル放送のテレビ番組とともに画面上に表示される形式で配信されるものである。
【０００９】
従って、デジタル情報又はテレビ番組から目を離さずに、すなわちデジタル情報又はテレビ番組を視聴しながら、詳細情報を入手することができる。従って、視聴者が、テレビ番組等を視聴したいという欲求と、その詳細情報を得たいという欲求を同時に満たすように、情報を提供することができる。
【００１４】
本発明は、請求項１又は２に記載の情報提供サービスシステムの動作方法において、視聴者がカテゴリ又はキーワードを選択する前に、これらのカテゴリ又はキーワードと一緒に、視聴中のテレビ番組のホームページなどの情報を詳細情報として配信するものである。
【００１５】
テレビ番組のホームページなどは、そのテレビ番組の放送された過去の内容や放送予定の内容など、テレビ画面で放映されている内容よりも広範囲の情報が載っている。そのため、カテゴリ及びキーワードを選択せずとも、視聴者が欲しいとした詳細情報が得られる場合があり、視聴者の欲求を迅速に満たせる情報を提供することができる。
【００１６】
本発明は、請求項１〜３の何れかに記載の情報提供サービスシステムの動作方法において、前記カテゴリ又はキーワードを視聴者が選択している間に、その詳細情報を記憶部に格納し、選択されたカテゴリ又はキーワードに応じて、その記憶部から詳細情報を配信するようにしたものである。
【００１７】
従って、詳細情報が選択された際には、既に検索して記憶部に格納されている詳細情報を、記憶部から抽出すればよいので、迅速に視聴者に詳細情報を提供することができる。従って、視聴者のニーズに応じた詳細情報を迅速に提供することができる。
【００１８】
本発明は、請求項１〜４の何れかに記載の情報提供サービスシステムの動作方法において、前記詳細情報が商業宣伝情報であるものである。従って、選択されたキーワードやカテゴリに関連する詳細情報のうち、視聴者の興味のある商業宣伝情報（これは商品宣伝の情報も含むいわゆる狭義の広告のことである）のみを表示することができるので、視聴者に応じた商業宣伝情報を提供することができる。
【００２０】
本発明は、請求項１〜５の何れかに記載の情報提供サービスシステムの動作方法を行うシステムの動作方法において、画面に表示されるカテゴリ及びキーワードは、デジタル放送の視聴者が予め指定した語句に適合したものであるとしたものである。従って、抽出されたキーワード及びカテゴリに基づいて検索された膨大な量の情報から、不要な情報を削って視聴者の好みに対応した情報だけを抽出して表示させるので、視聴者の欲求に合う情報をより迅速に提供することができる。
【００２１】
本発明は、請求項１〜６の何れかに記載の情報提供サービスシステムの動作方法において、前記詳細情報が、所定の表示幅で、上下にスクロール可能に表示されるようにしたものである。従って、左右にスクロールさせる必要がなく、上下にスクロールするだけで詳細情報を表示した画面を見ることができ、見やすい画面で情報を提供することができる。
【００２２】
本発明は、請求項１〜７の何れかに記載の情報提供サービスシステムの動作方法において、前記カテゴリ、キーワード又は詳細情報は、自動的にスクロールされながら前記テレビ画面に表示されるものである。従って、スクロールさせることにより、新しいカテゴリ、キーワード又は詳細情報を少しずつ追加できる。また、カテゴリ、キーワード又は詳細情報は、所定時間表示されるが、表示終了時が容易に予想できるので、カテゴリ、キーワード又は詳細情報を視聴者がより確実に選択することができ、視聴者の欲求により合う情報を提供することができる。
【００２３】
本発明は、請求項１〜８の何れかに記載の情報提供サービスシステムの動作方法において、前記カテゴリやキーワードが、テレビ番組の放送中にテレビ画面に表示されるようにしたものである。従って、視聴者が、詳細情報が不要であるとするとき、デジタル情報又はテレビ番組のみを大画面で視聴することができる。
【００２４】
請求項１０に記載の発明は、多重化ストリームで送信されたデジタル放送を受信するデジタル放送受信部と、前記多重化ストリームのデータをＢＭＬブラウザを介してテレビに表示する出力部を備えた送受信機から通信網を介して送信されたデータを受信するデータ受信部と、前記送受信機において選択又は設定されたカテゴリ及びキーワードが格納される個人情報データベースと、詳細情報を記録する番組情報データベースとを備えた情報提供供給装置であって、受信したデジタル放送のデジタル情報に含まれている文について構文解析を行って名詞を抽出する構文解析部と、前記送受信機から送信された、視聴中の番組に関する詳細情報を表示する指令データを受信した場合、前記個人情報データベースからカテゴリ及びキーワードを抽出し、前記送受信機から送信された、指定された語句を受信した場合、この語句を検索部に供給する指令部と、前記構文解析部で抽出した名詞と、前記個人情報データベースから抽出したカテゴリに含まれる指定語句又は前記個人情報データベースから抽出したキーワードとを対比させて、一致する語句を指定語句として選択する指示語句抽出部と、前記指定語句のうち、前記送受信機から送信された、指定された語句を受信して、該受信された語句に関連する詳細情報を前記番組情報データベースから抽出する検索部と、前記指定語句を含むＢＭＬ形式の情報文書を生成し、又は前記検索部が抽出した詳細情報を含むＢＭＬ形式の情報文書を生成する送信データ生成部と、この生成した情報文書を前記通信網を介して前記送受信機に送信するデータ送信部とを少なくとも備えた情報提供供給装置である。従って、より多くの視聴者が満足するような情報をデジタル放送とともに、容易に情報提供することができる。
【００２５】
請求項１１に記載の発明は、送受信機において選択又は設定されたカテゴリ及びキーワードを受信して格納した個人情報データベースと、指定語句に関連する詳細情報を記録した番組情報データベースとを備えた情報提供供給装置と通信網を介して接続され、入力機器から、視聴中の番組に関する詳細情報を表示する指令データを受信した場合に、この指令データを、又はテレビに表示された指定語句のうち、入力機器から、語句が指定された場合、この指定された語句を、前記情報提供供給装置に送信するデータ送信部と、多重化ストリームで送信されたデジタル放送を受信する第１受信部と、前記指定語句を含む情報文書、又は前記テレビに表示された指定語句のうち、入力機器から指定された語句に関連する詳細情報を含む情報文書を、前記情報提供供給装置から受信する第２受信部と、前記第１受信部で受信されたデジタル放送データの一部を、前記第２受信部で受信されたＢＭＬ形式の情報文書と交換して多重化ストリームに合成する交換部と、デジタル放送データの多重化ストリームと、交換部で合成した多重化ストリームとを切り替える受信画面切替部と、この受信画面切替部から送信されたデータをテレビに供給して、前記情報文書に含まれる指定語句を、又は前記情報文書に含まれる詳細情報を、テレビに表示する出力部とを少なくとも備えた送受信機である。従って、より多くの視聴者が満足するような情報をデジタル放送とともに、受信して表示することが容易にできる。
【００２６】
【発明の実施の形態】
以下、本発明を具体化した情報提供サービス方法の一実施形態を図１〜図１２に従って説明するが、まず情報提供サービス方法を行うシステムについて説明する。
【００２７】
（全体構成）
図１に示されるように、１つ又は複数のテレビ放送局１２の送信アンテナ１１から放送衛星１０に向かってテレビ放送が送信されている。テレビ放送局１２は、インターネット１９に接続され、テレビ番組に関するホームページを開設している。
【００２８】
家や共同住宅などの外部には、放送衛星１０に指向するパラボラアンテナ１３が取り付けられおり、このパラボラアンテナ１３は、室内の送受信機１４（情報提供受信装置に相当）に接続され、送受信機１４は、映像を表示するテレビ１５及び視聴者の指示が入力されるマウス１５ａを備えている。
【００２９】
また、地上には、情報付与センタ１６（情報提供供給装置に相当）が配設されており、この情報付与センタ１６にも、放送衛星１０を指向するパラボラアンテナ１７が取り付けられている。この情報付与センタ１６は、例えば電話回線などの公知の通信網１８により送受信機１４と通信可能とされている。更に、この情報付与センタ１６は、インターネット１９に接続されて、テレビ放送局１２のホームページやその他のホームページにアクセス可能となっている。
【００３０】
（送受信機１４）
図２に示されている送受信機１４は、受信部と送信部とから構成されている。送信部は、マウス１５ａなどの入力機器からのデータを受け取る操作入力部３３と、データ送信部２７とから構成されている。このデータ送信部２７は、操作入力部３３からの入力信号を符号・復号化して、通信網１８を介して情報付与センタ１６に送信するものである。
【００３１】
受信部は、第１受信部である衛星放送受信部２１と、第２受信部であるデータ受信部２３と、交換部であるストリーム分割・合成部２４と、受信画面切替部２５と、出力部３２等から構成されている。衛星放送受信部２１は、パラボラアンテナ１３を介して、テレビ放送局１２から送信されたデジタル放送データを受信する。このデジタル放送データは、音声付きの映像データ、ＥＰＧデータ及びデジタル情報データが、図４に示すようにトランスポートストリームという時間軸に分割されて多重化された状態（以下、多重化ストリームという）で送信される。データ受信部２３は、通信網１８を介して情報付与センタ１６からのデータを受信する。ストリーム分割・合成部２４は、衛星放送受信部２１で受信したデジタル放送データ中のデジタル情報データを、データ受信部２３で受信した詳細情報のデータと交換して、ＥＰＧや音声付き映像と合わせて多重化ストリームに合成する。受信画面切替部２５は、衛星放送受信部２１で受信した多重化ストリームと、ストリーム分割・合成部２４で生成された多重ストリームとを切り換える。出力部３２は、受信画面切替部２５から送信されたデータをＢＭＬブラウザを介しＥＰＧや音声付き映像などのデータをテレビ１５に表示する。
【００３２】
（情報付与センタ１６）
情報付与センタ１６は、図３に示されるように個人情報管理部３５と、データ生成部４０と、検索部である番組情報管理部５０と、データ送信部４８とから構成されている。データ送信部４８は、後述する送信データ生成部４４で生成されたデータ又は衛星放送受信部４１からの放送データを符号・復号化して、通信網１８を介して送受信機１４に送信する。
【００３３】
個人情報管理部３５は、データ受信部３９と、個人情報データベース３８と指令部３７とから構成されている。データ受信部３９は、通信網１８を介して送受信機１４から送信されたデータを受信することにより、情報付与センタ１６で生成された情報文書をテレビ１５の画面に表示するという指令信号や個人に関する情報を抽出するといった指令信号を指令部３７に送信する。指令部３７は、個人情報管理部３５から送信された個人情報に関連する事項を個人情報データベース３８に格納し、個人情報データベース３８から表示形式などの個人情報を読み込む。個人情報データベース３８には、例えば、テレビ１５画面で表示させるキーワード、カテゴリ及び詳細情報の配置を規定した表示形式やキーワードやカテゴリなど視聴者によって設定された情報が格納される。
【００３４】
データ生成部４０は、パラボラアンテナ１７に接続された衛星放送受信部４１と、抽出部である構文解析部４２及び指定語句抽出部４３と、変換部である送信データ生成部４４とから構成されている。衛星放送受信部４１は、パラボラアンテナ１７を介して受信した多重化ストリームから、データ放送用文書及びＥＰＧ文書を取り出し、それぞれを構文解析部４２及び番組情報管理部５０に供給する。また、この衛星放送受信部４１は、データ送信部４８にバイパスされており、後述する送信データ生成部４４で作成されるべき情報データに不具合が生じた場合には、衛星放送受信部４１で受信したデータをデータ送信部４８に供給する。
【００３５】
構文解析部４２は、データ放送用文書中から画面表示される文を抽出し、この文を構文解析して、これに含まれている語句を抽出する。指定語句抽出部４３は、個人情報データベース３８に格納されている語句（すなわち視聴者の興味のある語句）と、構文解析部４２で抽出した語句とを対比させて、構文解析部４２で抽出した語句から視聴者の興味のある語句を指定語句として選択する。また、送信データ生成部４４は、指定語句抽出部４３からの指定語句、後述の詳細情報検索部４７からの詳細情報及び指令部３７からの表示形式の情報に基づいて、画面に表示するデータ情報を生成する。
【００３６】
また、番組情報管理部５０は、番組情報登録部４５と、記憶部である番組情報データベース４６と、前記詳細情報検索部４７とから構成されている。番組情報登録部４５は、衛星放送受信部４１から受信したＥＰＧ文書や指定語句抽出部４３で選択された指定語句に基づいて、インターネット１９などからそれに関連した特定の情報（例えば、その語句の解説やこれのアドレスの情報）などを抽出し、それを番組情報データベース４６に格納する。詳細情報検索部４７は、この番組情報データベース４６に格納されている詳細情報（前述の例では、そのアドレスの情報など）を読み出す。なお、番組情報データベース４６は、インターネット１９を介して得られた指定語句に関する情報（アドレスにアクセスして得た情報）だけでなく、例えばその地域の情報などを手入力によってもその指定語句に関する情報を格納する。
【００３７】
次に、上述したシステムを用いて本発明の情報提供サービス方法について、図５〜図１２を参照して説明する。
（初期設定）
テレビ放送を視聴する前に、図５（ａ）に示すようなテレビ画面を見ながら、視聴者の嗜好のカテゴリ、キーワード及び表示形式（どこの位置のどの情報を配置するかという形式）が、テレビ１５のマウス１５ａの操作に従って視聴者により選択される（図６のステップＳ１０）。
【００３８】
例えば、テレビ番組の映像を右上の表示位置Ｐに、データ放送の表示位置Ｄを右下に、キーワード及びカテゴリの表示位置Ｋを左上に、その詳細情報の表示位置Ｉを左下に表示する表示形式（番号１）を選択したい場合には、図５（ａ）のようにこの「番号１」にカーソル５１を位置させて、マウス１５ａの決定ボタンを押して選択する。
【００３９】
次に、図５（ｂ）に示すようにカテゴリ及びキーワードを、テレビ１５のマウス１５ａの操作によって視聴者に選択させる。例えば、ショッピング及びグルメのカテゴリを選択したい場合には、カーソル５１をＡの位置に移動させて、決定ボタンを押す。すると、カテゴリの番号にカーソル５１が移動する。そこで、ショッピングの番号（２１）にカーソル５１を移動させて決定ボタンを押し、グルメの番号（３９）にカーソル５１を移動させて決定ボタンを押す。そして、終了の位置にカーソル５１を移動して決定すると、カーソル５１がＢに移動し、次にキーワードを入力する状態となる。
【００４０】
このカーソル５１がＢに移動した状態で、例えば、決定ボタンを押すと、「ａ入力」と「ｂ終了」の２つが選択できる。そこで、決定ボタンにより「ａ入力」を選択して、５０音の表を表示させて、上下左右にカーソル５１を移動させ、決定ボタンを押すことにより、キーワードを一文字ずつ入力する。キーワード入力が終了したならば、カーソル５１を「ｂ終了」に位置させて、決定ボタンを押して終了させる。すると、「Ｃ終了」にカーソル５１が移動するので、ここで決定ボタンを押して終了する。なお、興味がいろいろあり、視聴者がカテゴリやキーワードの範囲を限定したくない場合には、「Ａカテゴリ」又は「Ｂキーワード」の項目を飛ばして、画面の表示形式のみを設定する。
【００４１】
このようにして選択又は設定された表示形式、カテゴリ及びキーワードは、送受信機１４及び通信網１８を介して、情報付与センタ１６の個人情報管理部３５に送られる（ステップＳ１１）。個人情報管理部３５では、この送信された情報（図５（ａ）の番号１の表示形式、ショッピング及びグルメに関するカテゴリ及びキーワードの情報）が、個人情報データベース３８に格納される（ステップＳ１２）。
【００４２】
（情報付与センタ１６の番組情報の収集）
放送衛星１０を介してテレビ放送局１２から送信されたＢＳデジタル放送は、音声付き映像とＥＰＧとデータ情報とが多重化ストリームの状態である。情報付与センタ１６は、パラボラアンテナ１３を介して、この多重化されたＢＳ放送を衛星放送受信部２１で受信する（図８のステップＳ２０）。そして、その衛星放送受信部２１で、まず多重化ストリームの分離が行われ、音声付き映像のデータ、ＥＰＧ文書のデータ及びデータ放送用文書のデータがそれぞれ分離される（ステップ２１）。次いで、そこからＥＰＧ文書のデータが番組情報管理部５０の番組情報登録部４５に供給される（ステップＳ２２）。
【００４３】
番組情報登録部４５では、ＥＰＧ文書のデータから、番組名、放送時間、ゲスト名等の所定の事項を抽出する（ステップＳ２３）。例えば、「日本輝駆の料理ショー」という番組名が「７月３０日１６時〜１６時半」に放送され、これに「＊＊＊＊」というゲストが出演するとした場合には、「日本輝駆の料理ショー」、「７月３０日１６時〜１６時半」及び「＊＊＊＊」という事項を抽出する。また、この番組のホームページアドレス「ｈｔｔｐ：ｗｗｗ．ｎｎｔｖ．ｃｏ．ｊｐ／日本輝駆の料理ショー／」をインターネット１９の検索エンジンにより検索する。これらの抽出された所定の事項をそれぞれインデックス化して、番組情報データベース４６に格納する（ステップＳ２４）。
【００４４】
以降、上述の番組情報の収集が繰り返される。
（カテゴリ及びキーワードの表示）
例えば、テレビ放送局１２から送信されたデジタル放送をそのまま視聴する場合には、パラボラアンテナ１３を介して衛星放送受信部２１で、ＢＳデジタル放送が受信され（図９のステップＳ３０）、これが受信画面切替部２５を介してテレビ１５に供給される。例えば図７に示すように、天気予報のデータ放送を表示位置Ｗに、テレビ番組を表示位置Ｐに、同時にテレビ１５に表示させて（ステップＳ３１）、視聴者が視聴しているとする。
【００４５】
このテレビ番組の視聴中に、視聴者が、それに関連した詳細情報を希望する際には、マウス１５ａを操作して、視聴中の番組に関する詳細情報を表示するという指令データを送受信機１４に送信する（ステップＳ３２）。この指令データは、送受信機１４及び通信網１８を介して情報付与センタ１６の指令部３７に供給される。そして、この指令データに基づいて指令部３７が、上述したように設定されたカテゴリ、キーワード及び表示形式などを個人情報データベース３８から抽出する（ステップＳ３３）。抽出されたカテゴリ及びキーワードは、指定語句抽出部４３に供給され、表示形式は送信データ生成部４４に供給される。
【００４６】
情報付与センタ１６では、パラボラアンテナ１７を介してＢＳデジタル放送が衛星放送受信部４１で受信され（ステップＳ３５）、多重化ストリームを分離し（ステップＳ３６）、データ放送用文書が選択される（ステップＳ３７）。構文解析部４２では、そのデータ放送用文書中の文について構文解析を行う（ステップＳ３７）。例えば、データ放送用文書中に「今日はポトフに卵を付けます」という文章が含まれていた場合には、「今日」「は」「ポトフ」「に」「卵」「を」「付け」「ます」というように品詞毎に分解する。次に、ここから名詞のみを抽出する（ステップＳ３８）。上述の例では、名詞の「今日」「ポトフ」「卵」を抽出する。次に、指令部３７からの供給信号に応じて、ここで抽出した名詞（「今日」「ポトフ」「卵」）のうち、個人情報データベース３８に登録されているカテゴリに含まれる指定語句又は個人情報データベース３８に登録されているキーワードと一致する指定語句を選択する（ステップＳ３９）。例えば、上述したように「グルメ」のカテゴリが登録されているので、「ポトフ」と「卵」とが選択される。この指定語句は、送信データ生成部４４及び詳細情報検索部４７に供給される。
【００４７】
詳細情報検索部４７では、インターネット１９にアクセスして、検索エンジン等で、その指定語句に関連したＵＲＬ（Ｕｎｉｆｏｒｍ  Ｒｅｓｏｕｒｃｅ  Ｌｏｃａｔｏｒｓ）を検索する（ステップＳ４１）。そして、検索されたＵＲＬの検索一覧は、指定された名詞がインデックス化されて番組情報データベース４６に格納される（ステップＳ４２）。例えば、「ポトフ」に関連するＵＲＬとして「ｈｔｔｐ：／／ｗｗｗ．ｎｉｃｅｐｏｔｏｆｕ．ｎｅ．ｊｐ」などが検索され、「卵」に関連するＵＲＬとして「ｈｔｔｐ：／／ｗｗｗ．ｔｏｄａｙｔａｍａｇｏ．ｎｅ．ｊｐ」「ｈｔｔｐ：／／ｗｗｗ．ｔｏｋｕｂａｉｅｇｇ．ｃｏ．ｊｐ」等が検索されたならば、これらを番組情報データベース４６に格納する。
【００４８】
送信データ生成部４４では、個人情報データベース３８から抽出した表示形式に合わせて、視聴中の番組のホームページの内容と、テレビ放送局１２から送信されたデータ放送用文書の内容と、カテゴリ又はキーワードと（これは上述の指定語句）を合成して表示できるように、ＢＭＬ（Ｂｒｏａｄｃａｓｔ  Ｍａｒｋｕｐ  Ｌａｎｇｕａｇｅ）の情報文書が生成される（ステップＳ４４）。この生成された情報文書は、データ送信部４８から通信網１８を介して送受信機１４に供給される。
【００４９】
送受信機１４では、データ受信部２３がこの情報文書を受信するとともに、多重化ストリームで送信されたＢＳデジタル放送を受信する。送受信機１４のストリーム分割・合成部２４では、受信された多重化ストリーム中のデータ放送用文書と、通信網１８を介して送信された情報文書との入れ換えを行って、新たな多重化ストリームとする（ステップＳ４５）。受信画面切替部２５の切替によってこの新たな多重化ストリームはテレビ１５に供給され、テレビ１５の画面に表示される。そして、図１０に示されるようにテレビ１５の画面の表示位置Ｐにテレビ番組の映像が表示され、表示位置Ｋにカテゴリやキーワードが表示され、表示位置Ｉに視聴中のテレビ番組のホームページの情報が表示され、表示位置Ｄにデータ情報が表示される（ステップＳ４６）。なお、このとき表示されるカテゴリ及びキーワード（「ポトフ」と「卵」）は左方向にスクロールされる状態で表示され、視聴中のテレビ番組のホームページの情報は、マウス１５ａで上下に手動でスクロールできるように表示される。
【００５０】
（詳細情報の表示）
次に、テレビ画面に表示された指定語句の「ポトフ」又は「卵」のうち「卵」が視聴者によってマウス１５ａを介して指示された（図１１のステップＳ５０）とする。すると、この視聴者が選択したキーワードの「卵」は、送受信機１４及び通信網１８を介して、情報付与センタ１６の指令部３７に供給される。指令部３７では、選択された語句が「卵」であるという情報を個人情報データベース３８に格納する（ステップＳ５１）とともに、詳細情報検索部４７に供給する。この詳細情報検索部４７では、選択された語句の「卵」に関連するＵＲＬ（例えば上述の「ｈｔｔｐ：／／ｗｗｗ．ｔｏｄａｙｔａｍａｇｏ．ｎｅ．ｊｐ」「ｈｔｔｐ：／／ｗｗｗ．ｔｏｋｕｂａｉｅｇｇ．ｃｏ．ｊｐ」など）の、上述して得られた検索一覧を番組情報データベース４６から抽出する（ステップＳ５２）。そして、個人情報データベース３８から表示形式を抽出して（ステップＳ５３）、この形式に合わせて、抽出された検索一覧と、デジタル放送用文書（上述の「ポトフ」と「卵」とを抽出した文書より後に受信した文書）から得たキーワードやカテゴリと、今、受信したデジタル放送用文書とを、情報文書としてＢＭＬ形式で作成する（ステップＳ５４）。そして、この作成された情報文書を、通信網１８を介して送受信機１４に供給する。
【００５１】
送受信機１４では、データ受信部２３でこの情報文書を受信するとともに、多重化ストリームで送信されたＢＳデジタル放送を受信する（ステップＳ５５）。送受信機１４のストリーム分割・合成部２４では、受信された多重化ストリーム中のデータ放送用文書と、通信網１８を介して送信された情報文書との入れ換えを行って、多重化ストリームとする（ステップＳ５６）。そして、この多重化ストリームがテレビ１５に供給され、多重化ストリームに含まれているデジタル放送、ＥＰＧ及び情報文書が、テレビ１５の画面に表示される（ステップＳ５８）。
【００５２】
このテレビ１５の画面は、例えば図１２に示すような画面となる。すなわち、視聴者が視聴している音声付きの映像は、テレビ番組として表示位置Ｐに表示され、テレビ番組とともにテレビ放送局１２から送信されたデータ放送は、そのテレビ番組の表示位置Ｐの下方の表示位置Ｄに表示される。また、カテゴリ及びキーワードは、テレビ画面の左上の表示位置Ｋに表示され、検索一覧は、そのカテゴリ及びキーワードの下の詳細情報の表示位置Ｉに表示され、マウス１５ａを可動させることにより上下方向にスクロールできるようにされてる。なお、画面表示されたカテゴリ及びキーワードは、左方向に常にスクロールして表示されている。なおまた、テレビ放送局１２から送信されたデータ放送は、テレビ番組スポンサーの商業宣伝情報を含む場合もある。
【００５３】
次に、テレビ１５に表示されたＵＲＬの検索一覧のうち、例えば、視聴者が「特売たまご」という項目をマウス１５ａを操作して選択した（ステップＳ６０）とする。この情報は、送受信機１４を介して詳細情報検索部４７に供給され、この「特売たまご」に対応するＵＲＬ、例えばこれが「ｈｔｔｐ：／／ｗｗｗ．ｔｏｋｕｂａｉｅｇｇ．ｃｏ．ｊｐ」とすると、これにアクセスし、このＵＲＬの文書をダウンロード（ステップＳ６１）する。
【００５４】
そして、再び個人情報データベース３８から表示形式を抽出し（ステップＳ６２）、この形式に合わせて、上述したステップＳ５４と同様に、ＵＲＬの詳細情報の内容と、今、受信したデジタル放送用文書の内容と、デジタル放送用文書から得たキーワードやカテゴリとを、情報文書としてＢＭＬ形式で作成する（ステップＳ６３）。そして、この作成された情報文書を、通信網１８を介して送受信機１４に供給し、上述したステップＳ５６と同様に、受信されたデジタル放送のデジタルデータと、通信網１８を介して送信された情報文書のデータとの入れ換えを行って、多重化ストリームとする（ステップＳ６４）。この多重化ストリームは、テレビ１５に供給され、図１３に示すように表示位置Ｉに詳細情報（上述の例では「特売たまご」の情報）が表示される。この詳細情報は、商業宣伝情報であり、マウス１５ａにより上下方向にスクロール可能に表示されている。なお、このとき、テレビ１５の画面の表示位置Ｐにはテレビ番組の映像が表示され続け、表示位置Ｋにカテゴリやキーワードがスクロールされながら表示され続け、表示位置Ｄにデータ情報が表示され続ける（ステップＳ６５）。
【００５５】
なお、ここで、例えば、テレビ１５の画面に表示されている「○○スーパーのＬサイズ１０個入り９８円の卵」を購入したいときには、その画面上に表示されている「購入」をクリックして、その卵を視聴者が購入することができる。
【００５６】
その後、テレビ番組の放送が終了した場合には、番組情報データベース４６の情報を消去する。
上記実施の形態の情報提供サービスによれば、以下のような効果を得ることができる。
【００５７】
（ａ）デジタル放送で送信されるデジタル情報から、カテゴリ又はキーワードを抽出し、これらのカテゴリ又はキーワードに関連する詳細情報を検索して、この詳細情報をテレビ画面に表示させるために配信する。そのため、デジタル放送で送信され、テレビ番組で使用された語句に基づいて詳細情報を抽出することができるので、放送局が提供する番組関連情報を単に提供するよりも、より多くの視聴者の欲求を満足できるような情報提供サービスをすることができる。
【００５８】
（ｂ）図１０及び図１２に示すように、前記詳細情報をデジタル情報又はデジタル放送のテレビ番組と一緒に画面上に表示されるような形式で、視聴中のテレビ番組のホームページ及びカテゴリ又はキーワードに応じた詳細情報を配信する。そのため、同一の画面で、詳細情報等とテレビ番組等を見ることができるので、テレビ番組等から目を離さずに、詳細情報を入手することができる。従って、視聴者は、テレビ番組等を視聴したいという欲求と、その詳細情報を得たいという欲求を同時に満たすことができる。
【００５９】
（ｃ）詳細情報を検索している間に、次に受信されたデジタル放送にカテゴリ又はキーワードを抽出するようにする。そのため、順次、デジタル放送で使用された語句からカテゴリ及びキーワードを得られることができ、視聴者の欲求の発端となる語句に対応するカテゴリ又はキーワードを適宜得ることができる。
【００６０】
（ｄ）デジタル情報及びテレビ番組とともにテレビ画面に表示させたカテゴリ又はキーワードをデジタル放送の視聴者に選択させ、この選択されたカテゴリやキーワードに対応する情報を画面に表示するように配信する。そのため、デジタル放送で送信されるデジタル情報から抽出されたカテゴリやキーワードを、視聴者が選択することにより、視聴者の欲求に対応した情報をすぐに提供することできる。従って、視聴者の一人一人の欲求に応じた情報を迅速に提供することができる。
【００６１】
（ｅ）視聴者がカテゴリ及びキーワードを選択する前に、これらのカテゴリ及びキーワードと一緒に、前記テレビ番組のホームページから取り出した詳細情報を表示するようにした。そのため、テレビ番組に関係のある広範囲の情報が載っているので、カテゴリ及びキーワードを選択せずとも、視聴者が欲しいとした詳細情報が得られる場合がある。
【００６２】
（ｆ）カテゴリ又はキーワードを視聴者が選択している間に、その詳細情報を個人情報データベース３８に格納し、選択されたカテゴリ又はキーワードに応じて、その個人情報データベース３８から詳細情報を配信する。従って、詳細情報が選択された際には、既に検索して記憶部に格納されている詳細情報を、記憶部から抽出すればよいので、迅速に視聴者に詳細情報を提供することができる。従って、視聴者のニーズに応じた詳細情報を迅速に提供することができる。
【００６３】
（ｇ）視聴者が興味のあるカテゴリやキーワードに対応する詳細情報に商業宣伝情報を含ませたので、それぞれの視聴者の興味に応じた商業宣伝情報を提供することができる。
【００６４】
（ｈ）カテゴリ及びキーワードは、前記デジタル情報に含まれる文章を構文解析して、名詞を抜き出して得るようにした。そのため、抽出されたキーワード及びカテゴリに基づいて検索された膨大な量の情報から、不要な情報を削って視聴者の好みに対応した情報だけを抽出して表示させるので、視聴者の欲求に沿う情報をより迅速に提供することができる。
【００６５】
（ｉ）デジタル情報から抽出したカテゴリ及びキーワードのうち、デジタル放送の視聴者が予め指定したカテゴリやキーワードに対応する語句のみを画面表示させるようにした。従って、抽出されたキーワード及びカテゴリに基づいて検索された膨大な量の情報から、不要な情報を削って視聴者の好みに対応した情報だけを抽出して表示させるので、視聴者の欲求に沿う情報をより迅速に提供することができる。
【００６６】
（ｊ）詳細情報は、その詳細情報を表示する表示位置Ｉの幅にちょうど適合するようにしたので、左右にスクロールさせずに画面を見ることができる。そのため、視聴者に見やすい状態で、かつ多量の詳細情報を視聴者に提供することができる。
【００６７】
（ｋ）カテゴリ、キーワード又は詳細情報は、自動的にスクロールされながら前記テレビ画面に表示されるようにとにした。従って、スクロールさせることにより、新しいカテゴリ、キーワード又は詳細情報を少しずつ追加できる。また、カテゴリ、キーワード又は詳細情報は、所定時間表示されるが、表示終了時が容易に予想できるので、カテゴリ、キーワード又は詳細情報を視聴者がより確実に選択することができる。
【００６８】
（ｌ）視聴者の指示によりテレビ番組の放送中に、カテゴリやキーワードをテレビ画面に表示されるようにしたので、視聴者が、詳細情報がほしいと思わない場合には、デジタル情報又はテレビ番組のみを大画面で視聴することができる。
【００６９】
（ｎ）視聴者により選択されたカテゴリやキーワードを個人情報データベース３８に記憶させたので、視聴者の嗜好に応じたカテゴリやキーワードを把握することができ、視聴者の欲求に応じた情報を提供することができる。
【００７０】
（ｍ）詳細情報が商業宣伝情報である場合に、その詳細情報を表示した後に、その詳細情報の表示画面上で、商品である「卵」を購入することができるようにしたので、テレビ番組視聴中であっても、すぐに必要な商品を購入することができる。
【００７１】
（変更例）
なお、上記実施形態は以下のように変更してもよい。
・上記実施の形態では、情報付与センタ１６において、デジタル放送で送信されるデジタル情報から、カテゴリ又はキーワードを抽出するようにしたが、これを送受信機１４で行って、カテゴリ又はキーワードを情報付与センタ１６に供給してもよい。すなわち、情報付与センタ１６では、そのカテゴリ又はキーワードに応じた詳細情報を管理する機能だけを有するようにしてもよい。
【００７２】
・上記実施の形態では、図５に示すような画面を表示させて、視聴者に、カテゴリ、キーワード及び表示位置を入力させるようにしたが、勿論、図５に示した画面以外によって選択させるようにしてもよい。例えば、テレビ番組用画面、詳細情報画面などの表示画面を上下左右に可動させて位置を可変としてもよいし、その大きさをも可変にできるようにしてもよい。
【００７３】
・上記実施の形態では、カテゴリ及びキーワードを横方向にスクロールさせるようにしたが、縦方向にスクロールさせてもよいし、一定時間表示させるようにしてもよい。
【００７４】
・上記実施の形態では、詳細情報は手動で上下にスクロースするようにしたが、自動的にスクロースするようにしてもよい。
・上記実施の形態では、初めに視聴者が自分の興味あるカテゴリやキーワード及びこれらの表示位置を選択するようにしたが、予めカテゴリ、キーワード及びこれらの表示位置を設定しておき、視聴者の要望により、これらのカテゴリ、キーワード及び表示位置を変えるようにしてもよい。
【００７５】
・上記実施の形態では、天気などのデータ情報とテレビ番組とを一緒に表示したテレビ画面からカテゴリ、キーワード又は詳細情報を表示するとして説明したが、テレビ画面にテレビ番組のみ又はＥＰＧした状態からカテゴリ、キーワード又は詳細情報を表示するようにしてもよい。
【００７６】
・上記実施の形態では、視聴者の指示により、テレビ番組の放送中にカテゴリ及び詳細情報を、テレビ画面に表示できるようにしたが、常にカテゴリ、キーワード及び詳細情報を、テレビ番組等とともに表示させるようにしてもよい。
【００７７】
・上記実施の形態では、テレビ１５が送受信機１４に備えられたとして説明したが、送受信機１４とテレビ１５と別体としてもよいし、送受信機１４をテレビ１５に内蔵させてもよいし、ＢＳチューナにオプションとして付設できるようにしてもよい。
【００７８】
・上記実施の形態では、デジタル情報、テレビ番組、カテゴリ、キーワード及び詳細情報の表示形式を、初期設定として予め視聴者により設定されるようにしたが、初めは所定の設定にされており、放送中に視聴者の好みに応じてその設定を変えられるようにしてもよい。この場合には、視聴者が自分の見やすい位置にカテゴリ、キーワード及び詳細情報を配置することができるので、必要とする詳細情報に関連したカテゴリ又はキーワードをより容易に選択することができる。
【００７９】
・上記実施の形態では、視聴者の嗜好に合うカテゴリやキーワードを個人情報データベース３８に登録したが、視聴者の嗜好に合わないカテゴリやキーワードを個人情報データベース３８に登録して、これに適合したものは、指定語句としないようにしてもよい。
【００８０】
・上記実施の形態では、視聴者の指示をマウス１５ａによって行い、この信号を送受信機１４の操作入力部３３に供給したが、リモコンやジョイスティックなどにより操作入力部３３に供給してもよいし、音声入力によって行ってもよい。
【００８１】
・上記実施の形態では、データ放送用文書からキーワードを抽出するようにしたが、デジタル放送の映像中や音声中に含まれている文から、カテゴリ又はキーワードを抽出するようにしてもよい。
【００８２】
・上記実施の形態では、データ放送用文書からキーワードのみを抽出したが、データ放送用文書からカテゴリを導出してもよいし、抽出したキーワードからカテゴリを導出してもよい。
【００８３】
・上記実施の形態では、カテゴリやキーワードを視聴者が選択した後に、ＵＲＬの検索一覧を表示するようにしたが、検索一覧を表示せずに、種々の詳細情報をすぐに表示させるようにしてもよい。
【００８４】
・上記実施の形態では、テレビ番組の放映終了後に、番組情報データベース４６に格納したテレビ番組の詳細情報を消去するようにした。しかしながら、このテレビ番組終了後、それに関連する詳細情報を一時保存するようにしてもよい。この場合には、しばらくしてから、そのときの詳細情報が必要となったときに、その情報を得ることができる。また、視聴者から詳細情報を保存したい（例えば、料理番組でその材料や作成手順などを保存したい）という指令を、情報付与センタ１６が受信した場合にのみその詳細情報を保存するようにしてもよい。
【００８５】
・上記実施の形態では、インターネットから主に取得した詳細情報を提供するようにしたが、例えばその地域限定の情報など、手入力によって情報付与センタ１６に格納された情報を提供するようにしてもよい。
【００８６】
・上記実施の形態では、送受信機１４と情報付与センタ１６との送受信を行う通信網１８を電話回線として説明したが、その他、ケーブルテレビなどの有線や衛星通信などを通信網１８としてもよい。
【００８７】
・上記実施の形態では、放送衛星１０を介して送信されるデジタル放送について説明したが、テレビ塔などを介して送信される地上波によるデジタル放送やケーブルテレビにおけるデジタル放送などにおいても、適用することができる。
【００８８】
次に上記実施形態及び別例から把握できる請求項に記載した以外の技術的思想について、それらの効果とともに以下に記載する。
（１）デジタル放送で送信されるデジタル情報から、カテゴリ又はキーワードを抽出し、これらのカテゴリ又はキーワードに関連する詳細情報を検索して、この詳細情報をテレビ画面に表示させることを特徴とする情報提供装置。
【００８９】
従って、この（１）に記載の発明によれば、受信機側に上述した情報付与センタの機能を持たせて、情報付与センタから配信するのと同様な効果を得ることができる。
【００９０】
（２）予め視聴者が選択したカテゴリ又はキーワードに合うような商業宣伝情報だけをテレビ画面上に表示するようにした請求項１〜３の何れかに記載の情報提供サービス方法。
【００９１】
従って、この（２）に記載の発明によれば、視聴者の興味のある商業宣伝情報のみが表示されるので、視聴者の欲求に合う商業宣伝情報を容易に提供することができる。
【００９２】
（３）デジタル放送で送信されるデジタル情報から、カテゴリ又はキーワードを抽出し、
このカテゴリ又はキーワードに関連する詳細情報を、デジタル放送で送信されてくる情報以外から検索して取得し、
予め又はその後、視聴者によって選択されたカテゴリ又はキーワードに関連する詳細情報に商業宣伝情報を含ませ、
この商業宣伝情報中に、テレビ画面上で商品を購入するようにしたことを特徴とするサービス提供方法。
【００９３】
従って、この（３）に記載の発明によれば、テレビ番組の視聴中に、詳細情報だけでなく、その場ですぐに視聴者が必要なものを買うことができる。
【００９４】
【発明の効果】
以上、詳述したように、本発明の情報提供サービス方法によれば、デジタル放送により視聴者に一方的に提供される情報よりも、より多くの視聴者の欲求に応じた情報を提供することができる。
【図面の簡単な説明】
【図１】  本発明の実施の形態における情報提供サービス方法が使用されるシステムの全体構成を示す概略図。
【図２】  実施の形態における受信機の構成を示す概略図。
【図３】  実施の形態における情報付与センタの構成を示す概略図。
【図４】  多重化ストリームを説明する説明図。
【図５】  初期設定を行う際の一例を示すテレビ画面。
【図６】  初期設定の手順を示す流れ図。
【図７】  データ放送及びテレビ番組のみを表示したテレビ画面。
【図８】  番組情報の収集の手順を示す流れ図。
【図９】  カテゴリ及びキーワードを表示するための手順を示す流れ図。
【図１０】  カテゴリ、キーワード及びホームページをテレビ番組とデータ放送と一緒に表示したテレビ画面。
【図１１】  詳細情報を表示するための手順を示す流れ図。
【図１２】  カテゴリ、キーワード及び詳細情報をテレビ番組とデータ放送と一緒に表示したテレビ画面。
【図１３】  詳細情報上で商品を購入する際のテレビ画面。
【符号の説明】
１４…情報提供受信装置である送受信機、１５…テレビ、１６…情報提供供給装置である情報付与センタ、１８…通信網、２１…第１受信部である衛星放送受信部、２３…第２受信部であるデータ受信部、２４…交換部であるストリーム分割・合成部、３８…記憶部としての個人情報データベース、４２…抽出部である構文解析部、４３…抽出部である指定語句抽出部４３、４４…変換部である送信データ生成部、５０…検索部である番組情報管理部。
【図１】
0004205293.tif 000002
【図２】
0004205293.tif 000003
【図３】
0004205293.tif 000004
【図４】
0004205293.tif 000005
【図５】
0004205293.tif 000006
【図６】
0004205293.tif 000007
【図７】
0004205293.tif 000008
【図８】
0004205293.tif 000009
【図９】
0004205293.tif 000010
【図１０】
0004205293.tif 000011
【図１１】
0004205293.tif 000012
【図１２】
0004205293.tif 000013
【図１３】
0004205293.tif 000014